(57)【要約】流体ディスペンサ組立物であって、変形可能な駆動壁（１３）が形作られた流体貯蔵器（１８）と、変形可能な駆動壁の押下によって投与される流体の通り道となるディスペンサ開口部（１３４）と、そして、少なくとも最初に使用される前の状態ではディスペンサ開口部を覆っている取り外し可能な密封部材（１６）と、を有するディスペンサ（１）と、そして、ディスペンサを囲む外部カバー（３）と、を有し、特徴となる点は、実質的に堅い補強構造体（２）を更に有し、当該構造体は、ディスペンサ（１）を収容するための収容手段（２２５，２４０，２９０，２７１）が設けられていると共に、外部カバーが補強構造体と接触状態になる取付領域（２１１，２１２，２１３，２６２）を形作っており、前記接触は、少なくとも部分的には、ディスペンサと補強構造体との両方をカバーが囲む形になる、という様態である、ということである前記ディスペンサ組立物。
2005537994.tif 000002
【特許請求の範囲】
【請求項１】
流体ディスペンサ組立物であって、
・変形可能な駆動壁（１３）が形作られた流体貯蔵器（１８）と、変形可能な駆動壁の押下によって投与される流体の通り道となるディスペンサ開口部（１３４）と、そして、少なくとも最初に使用される前の状態ではディスペンサ開口部を覆っている取り外し可能な密封部材（１６）と、を有するディスペンサ（１）と、そして、
・ディスペンサを囲む外部カバー（３）と、を有し、
特徴となる点は、
実質的に堅い補強構造体（２）を更に有し、当該構造体は、ディスペンサ（１）を収容するための収容手段（２２５，２４０，２９０，２７１）が設けられていると共に、外部カバーが補強構造体と接触状態になる取付領域（２１１，２１２，２１３，２６２）を形作っており、前記接触は、少なくとも部分的には、ディスペンサと補強構造体との両方をカバーが囲む形になる、という様態である、ということである
という前記ディスペンサ組立物。
【請求項２】
補強構造体（２）はスロット（２１５）を有し、ディスペンサの駆動壁（１３）はスロットの所に位置づけられており、外部カバー（３）は、当該カバー越しに駆動壁（１３）を駆動できる、という形でスロット（２１５）を覆っていること、
を特徴とする請求項１に記載のディスペンサ組立物。
【請求項３】
スロット（２１５）の境界は、外部カバーに対する第１の取付領域（２１１，２１２，２１３）となっていること、
を特徴とする請求項２に記載のディスペンサ組立物。
【請求項４】
補強構造体（２）は、正面部（２１）と背面部（２２）とが形作られた本体（２０）を有し、正面部にはスロット（２１５）と第１の取付領域（２１１，２１２，２１３）とが形成されており、そして、背面部（２２）は実質的に開いていると共に、ディスペンサを収容する第１の収容手段（２２５，２４０）が設けられており、そのため、ディスペンサはその背面を介して本体に嵌め込むことができ、さらに、ディスペンサは、本体（２０）のスロット（２１５）を通して駆動壁（１３）にアクセスできる、という形で前記本体内に配置されること、
を特徴とする請求項２又は３に記載のディスペンサ組立物。
【請求項５】
本体（２０）が後方エンドプレート（２３）を有すること、
を特徴とする請求項４に記載のディスペンサ組立物。
【請求項６】
本体（２０）の第１の取付領域（２１１，２１２，２１３）には、下側領域（２１１）、上側領域（２１２）、そして、下側領域を上側領域に接続する２つの側面領域（２１３）が含まれ、前記領域はスロット（２１５）に境界を接していること、
を特徴とする請求項４又は５に記載のディスペンサ組立物。
【請求項７】
第１の取付領域は一緒になって、内部にスロット（２１５）の穴が開けられた形の筒状セグメントを形成するようにカーブしていること、
を特徴とする請求項６に記載のディスペンサ組立物。
【請求項８】
本体（２０）は、ディスペンサ開口部（１３４）が開いた上側壁（２４）を有すること、
を特徴とする請求項４乃至７のいずれかに記載のディスペンサ組立物。
【請求項９】
ディスペンサ（１）は実質的に平らな背面（１９）を有し、当該背面（１９）は本体の開いた背面（２２）を閉じ、外部カバー（３）はディスペンサの背面（１９）を覆うこと、
を特徴とする請求項４乃至８のいずれかに記載のディスペンサ組立物。
【請求項１０】
補強構造体（２）は、正面部（２６）と背面部（２７）とが形作られたヘッド（２５）を有し、正面部（２６）には外部カバーのための第２の取付領域（２６２）が形成されており、そして、背面部（２７）は開いていると共に、ディスペンサの取り外し可能な密封部材（１６）を収容するための第２の収容手段（２７１，２９０）が設けられていること、
を特徴とする請求項１乃至９のいずれかに記載のディスペンサ組立物。
【請求項１１】
ヘッド（２５）は、少なくとも１つの折り曲げまたは切断が可能な素材ブリッジ（２０５）によって本体（２０）に接続されており、そのため、ヘッドを本体上に折り畳むか本体から切り離すことで、それと共に取り外し可能な密封部材（１６）を取り去り、ディスペンサ開口部（１３４）を開けることができること、
を特徴とする請求項４乃至１０のいずれかに記載のディスペンサ組立物。
【請求項１２】
ヘッド（２５）は下側壁（２９）を有し、取り外し可能な密封部材（１６）は当該下側壁（２９）を通ること、
を特徴とする請求項１０又は１１に記載のディスペンサ部材。
【請求項１３】
ヘッド（２５）は先行エンドプレート（２８）を有し、当該プレート（２８）はヘッドを覆って閉じていること、
を特徴とする請求項１０乃至１２のいずれかに記載のディスペンサ部材。
【請求項１４】
第２の取付領域（２６２）は、筒状セグメントを形成する形にカーブしていること、
を特徴とする請求項１０乃至１３のいずれかに記載のディスペンサ組立物。
【請求項１５】
第１の取付領域（２１１，２１２，２１３）と第２の取付領域（２６２）とは同一の曲率を示すこと、
を特徴とする請求項７乃至１４のいずれかに記載のディスペンサ組立物。
【請求項１６】
後方および先行のエンドプレート（２３，２８）の各々には、取付領域（２１１，２１２，２１３，２６２）に対して突き出したリム（２３０，２８０）がそれぞれ形成されていること、
を特徴とする請求項５乃至１３のいずれかに記載のディスペンサ組立物。
【請求項１７】
取付領域（２１１，２１２，２１３，２６２）は、外部カバー（３）が取り付けられることになる筒状セグメントを形成するような様態で、カーブしていること、
を特徴とする請求項１、２、又は３に記載のディスペンサ組立物。
【請求項１８】
補強構造体（２）は後方エンドプレート（２３）および先行エンドプレート（２８）を有し、これらの間に外部カバーが保持されること、
を特徴とする請求項１、２、又は３に記載のディスペンサ組立物。
【請求項１９】
補強構造体（２）は本体とヘッドとを有し、本体には上側壁（２４）が形作られ、ヘッドには下側壁（２９）が形作られ、これら２つの壁（２４，２９）は、ほぼ開口部（１３４）の位置、そして取り外し可能な密封部材（１６）の位置で対向し、そして、ディスペンサの上を通っていること、
を特徴とする請求項１、２、又は３に記載のディスペンサ組立物。
【発明の詳細な説明】
【技術分野】
【０００１】
本発明は、流体ディスペンサ組立物に関する。
【背景技術】
【０００２】
本発明に関する流体ディスペンサ組立物は、変形可能な駆動壁と、変形可能な駆動壁の押下によって投与される流体の通り道となるディスペンサ開口部と、そして、少なくとも最初に使用される前の状態ではディスペンサ開口部を覆っている取り外し可能な密封部材とを有するディスペンサ、そして、そのディスペンサを覆う外部カバーを有する。こうした型のディスペンサ組立物は、香水や化粧品、あるいは薬品の分野に効果的な用途を見出すことができる。
【０００３】
特許文書：ＦＲ ２ ７９６ ３６８号公報には、このような、外部カバーの中に置かれた形でディスペンサを有するディスペンサ組立物が記述されている。さらに、その従来技術文書に記述されたディスペンサおよび外部カバーは、本発明においても全く問題なく使用することができる。具体的には、当該文書の流体ディスペンサは、効果的な構成として熱成形されたシェルから作られており、当該シェルが保護膜と結合された形である。成形シェルが保護膜と一体になって内部空間を形作り、当該空間は主に流体貯蔵器の役目を果たす。貯蔵器については、全部を流体で満たすこともできるし、一部だけを流体で満たして、残り部分を気体（例えば、空気）で満たすこともできる。ディスペンサはディスペンサ開口部を有し、当該開口部はディスペンサが最初に使われる前の状態では、取り外し可能な密封部材で覆われている。密封部材は、あらかじめ決められた断裂線に沿って折り曲げたり、切ったりすることができる。ディスペンサ開口部は、シェルに形成することも、保護膜に形成することもできる。しかし、ディスペンサ開口部については支持部品（一般的にプラスチック素材で作られ、シェルと保護膜との間に挿入されるもの）に形成するのが好ましい。こうした構成なので、ディスペンサは、ほぼ扁平で平らなマージンが形作られた小さなプレートの形をとる。その内部においては、シェルが一種のドームを形成し、当該ドームが貯蔵器、支持部品、そして取り外し可能な密封部材の端部を囲む形となっている。それは、本発明の関連して利用できる特定の種類の実施の形態であるが、こうした実施の形態を唯一無二のものと考えてはならない。本発明では、以下のようなものであれば、どんな種類のディスペンサでも用いることができる。すなわち、少なくとも貯蔵器が形作られており、当該貯蔵器を押下することで駆動壁が変形または移動させられ、それによって、ディスペンサ開口部（効果的構成として、最初の使用の前の状態では取り外し可能な密封部材によって閉じられているもの）を通して流体が投与される、という型のディスペンサである。
【０００４】
外部カバーに関して言えば、特許文書：ＦＲ ２ ７９６ ３６８号公報におけるそれは、紙、ボール紙、プラスチック、金属、または、その他の適当な素材で作られた１枚の単純なシートで構成されている。シートは半分に折られて一種のケースを形成し、そのケースの中にディスペンサが置かれる。外部カバーは、ディスペンサの保護膜と接触する位置にくるように設計された底面部分と、成形シェルによって形成されたドームにかぶさる形で広がる、膨らんだ正面部分と、そして、底面部分に一部が重なり、そこに接着されることでケースを閉じるフラップ部分とを有する。これにより、外部カバーは、底面が平らで頂上部が膨らんだケースの形となる。外部カバーも切り取りまたは折り曲げ可能な部分を有し、当該部分はあらかじめ決められた断裂線によってカバーの残り部分から区分されている。この断裂線に位置については、ディスペンサ側の断裂線に一致する状態または重なる状態になるように決めるのが効果的である。そうすれば、外部カバーの取り外し可能部分を折り返すこと、または切り取ることによって、ディスペンサの取り外し可能な密封部材もまた取り外され、それによって、ディスペンサ開口部が開かれる。ディスペンサ組立物の駆動に関しては、非常に簡単に実行でき、ディスペンサの駆動壁が形成された外部カバーの膨らんだ部分に圧力を加えればよい。言い換えると、ディスペンサは外部カバーを押さえることで駆動される。
【０００５】
こうした従来技術のディスペンサ組立物に関わる問題点は、カバーの両端が開いたままになり、そのため、ディスペンサが両端から目に見えてしまう、という点にある。こうした外観はあまり効果的でない。さらには、外部カバーの膨らんだ正面部は支持力が弱いため、端部において変形しやすい傾向が生じる。さらに、取り外し可能な密封部材を取り外すか折り返した時点で、ディスペンサ組立物の内部構成が目に見える状態になるが、これもあまり見た目の良いものではない。そして最後に、やはり外部カバーの膨らんだ正面部分に関する支持力の不足の結果として、ユーザがディスペンサ組立物を手に持つのが難しく、ユーザは瞬時に、ディスペンサ組立物が何かしらもろいと感じてしまう。
【発明の開示】
【発明が解決しようとする課題】
【０００６】
本発明の目的は、従来技術のディスペンサ組立物に関連する上記の問題点を解消することである。
【課題を解決するための手段】
【０００７】
上記の目的を達成するために、本発明が提案するディスペンサ組立物は、実質的に堅い補強構造体を更に有し、当該構造体は、ディスペンサを収容するための収容手段が設けられていると共に、外部カバーが補強構造体と接触状態になる取付領域を形作っており、前記接触は、少なくとも部分的には、ディスペンサと補強構造体との両方をカバーが囲む形になる、という様態である。
【発明の効果】
【０００８】
補強構造物によって、ディスペンサ組立物を改良し、これに強度を加えることができるだけでなく、その中に収容されたディスペンサを保護することも可能となる。そうして、ディスペンサ（特に、その貯蔵器）がつぶされたり、へこんだりする形で損傷するリスクを防ぐことができる。このように、補強構造物は、ディスペンサに対する保護シースとして働くと共に、外側カバーに対しては、安定して強固な支持部材として働く。
【０００９】
また、効果的な構成として、補強構造体はスロットを有し、ディスペンサの駆動壁はスロットの所に位置づけられており、外部カバーは、当該カバー越しに駆動壁を駆動できる、という形でスロットを覆っている。また、スロットの境界は、外部カバーに対する第１の取付領域となっていること、とするのが好ましい。また、１つの実施の形態として、補強構造体は、正面部と背面部とが形作られた本体を有し、正面部にはスロットと第１の取付領域とが形成されており、そして、背面部は実質的に開いていると共に、ディスペンサを収容する第１の収容手段が設けられており、そのため、ディスペンサはその背面を介して本体に嵌め込むことができ、さらに、ディスペンサは、本体のスロットを通して駆動壁にアクセスできる、という形で前記本体内に配置される、とすることもできる。また、本体が後方エンドプレートを有すること、とするのが効果的である。
【００１０】
さらに詳細な様態として、本体の第１の取付領域には、下側領域、上側領域、そして、下側領域を上側領域に接続する２つの側面領域が含まれ、前記領域はスロットに境界を接している、とすることもできる。また、例えば、取付領域は一緒になって、内部にスロットの穴が開けられた形の筒状セグメントを形成するようにカーブしていること、としてもよい。
【００１１】
また、本発明の別の側面によれば、本体は、ディスペンサ開口部が開いた上側壁を有する。さらに加えて、ディスペンサは実質的に平らな背面を有し、当該背面は本体の開いた背面を閉じ、外部カバーはディスペンサの背面を覆うこと、としてもよい。
また、本発明の別の効果的な側面によれば、補強構造体は、正面部と背面部とが形作られたヘッドを有し、正面部には外部カバーのための第２の取付領域が形成されており、そして、背面部は開いていると共に、ディスペンサの取り外し可能な密封部材を収容するための第２の収容手段が設けられている。また、効果的な構成として、ヘッドは、少なくとも１つの折り曲げまたは切断が可能な素材ブリッジによって本体に接続されており、そのため、ヘッドを本体上に折り畳むか本体から切り離すことで、それと共に取り外し可能な密封部材を取り去り、ディスペンサ開口部を開けることができる。
【００１２】
また、効果的な構成として、ヘッドは下側壁を有し、取り外し可能な密封部材は当該下側壁を通る。さらに加えて、ヘッドは先行エンドプレートを有し、当該プレートはヘッドを覆って閉じていること、としてもよい。
また、好ましい構成として、第２の取付領域は、筒状セグメントを形成する形にカーブしている。さらに、第１の取付領域と第２の取付領域とは同一の曲率を示すこと、とするのも好ましい。
【００１３】
さらに別の側面によれば、後方および先行のエンドプレートの各々には、取付領域に対して突き出したリムがそれぞれ形成されている。こうすれば、外側カバーを、後方プレートおよび先行プレートに形成されたリムにブロック接触した形で、補強構造物の上に静止状態で保持することができる。
さらに一般的に言えば、取付領域は、外部カバーが取り付けられることになる筒状セグメントを形成するような様態で、カーブしていること、が好ましい。そして、ブロックするのが好ましい。
【００１４】
ここで再び、非常に一般的な様態として、補強構造体は本体とヘッドとを有し、本体には上側壁が形作られ、ヘッドには下側壁が形作られ、これら２つの壁は、ほぼ開口部の位置、そして取り外し可能な密封部材の位置で対向し、そして、ディスペンサの上を通っている。取り外し可能な密封部材が折り返されるか、または切り取られた後の状態では、２つの壁によってディスペンサ部材の内部を覆い隠すことができ、その結果、外からは２つの密封壁（これら壁はきれいである）だけしか見えないという形になるので、外見は大いに良くなる。
【００１５】
本発明については、非限定的な例として本発明の実施の形態を示す添付図面を参照しながら、これ以降の部分でさらに詳しく説明する。
【発明を実施するための最良の形態】
【００１６】
本発明の流体ディスペンサ組立物は３つの構成要素を有する。すなわち、流体ディスペンサ１、補強構造体２、そして外部カバー３である。ディスペンサ１は補強構造体２内に配置され、そうしてできた組立物を外部カバー３が覆う構成である。
流体ディスペンサ１は、上述の特許文書：ＦＲ ２ ７９６ ３６８号に記述されたディスペンサと類似または同一のものとすることができる。ここでのディスペンサは、保護用のシート（またはフィルム）１９と連結された成形上側シェル１０を有する。シェル１０とフィルム１９とは周縁部に沿って接続されて、扁平で平らなマージン１１を形成している。マージンの厚みは小さく、１ｍｍを超えない。好ましい構成として、シート１９は全体が平たく、そのため、ディスペンサの背面または底面もほぼ平たくなっている。シェル１０に関しては、突出部分（または）ドーム１２が形成されており、その内部には、図５に見られるように、流体貯蔵器１８が形作られている。ドーム１２は、少なくとも一部が弾性変形可能になっており、それによって変形可能駆動壁１３が作られている。当該駆動壁を指で押さえて貯蔵器１８の内部容積を小さくすることで、流体には圧力が加わる。ドーム１２は突出部分１４につながっており、当該部分１４は、保護フィルム１９と共にハウジングを形成しており、ハウジング内には、ディスペンサ開口部１３４が形成された支持部品（またはディスペンサ部品）１３３が収容されている。指示部品１３３については、効果的な構成として、貯蔵器１８に格納された流体を吸収するのに適した多孔性素材の部材１４４を支持する働きを果たすことができる。多孔性素材の部材１４４はディスペンサ開口部１３４に隣接しており、駆動壁１３に圧力が加われば、多孔性素材の部材１４４に含まれた流体がディスペンサ開口部１３４を通って放出される、という形になっている。また、一例として、シェル１０によって作られた突出部１４を、ディスペンサ部品１３３の上に接着する形も可能である。ディスペンサ開口部１３４の上流の位置では、シェル１０に別の突出部１５が形成されており、これがディスペンサ開口部１３４を外部から隔てている。突出部１５は、ディスペンサのうち、取り外し可能な密封部材１６が形成された部分に位置しており、当該密封部材は、図１に見られるような破断線１７に沿って分離または折り曲げが可能である。破断線１７はディスペンサ開口部１３４のすぐ前を通っており、密封部材１６を切り取るか折り曲げればディスペンサ開口部１３４が開く、という形になっている。密封部材１６については、本例で示すように、破断線１７においてピボット運動させる形で折り返せば、残り部分に接続した状態を保つこともできるが、変形例として、密封部材１６をディスペンサから文字通り取り除くこともできる。
【００１７】
こうした流体ディスペンサは、従来技術（特に、上で述べた特許文書：ＦＲ ２ ７９６ ３６８号公報）からすでに公知である。ディスペンサが作られた形状については、これに限定されるものと考えてはならず、ディスペンサには、本発明の範囲から逸脱しない形で、様々な変更を加えることができる。具体的には、変形可能な駆動壁は、移動可能駆動壁の形にすることもできる。また、密封部材１６は単純なタブの形とすることもでき、省略すら可能である。同じことは、突出部分１４の下側に位置するディスペンサ部品１３３にも当てはまり、前記ディスペンサ部品も容易に省略することができる。本発明について使用される流体ディスペンサに対する最小限の条件は、移動可能または変形可能な駆動壁を備えた流体貯蔵器をディスペンサが有し、壁が駆動されている間に、ディスペンサ開口部経由で流体が放出されるようになっている、ということである（なお、任意の構成として、当該開口部は取り外し可能な密封部材によって覆われており、当該密封部材も任意の構成として置き換え可能とすることができる）。一例として、間に貯蔵器を形作る２枚の可撓性シートから流体ディスペンサを作ることも考えられ、その２枚のシートの間に、ディスペンサ開口部の形成されたディスペンサ部材を配置し、接着する、ということも可能である。
【００１８】
外部カバー３に関しては、上記の特許文書：ＦＲ ２ ７９６ ３６８号公報に記述された外部カバーと類似または同一のものとすることができる。ここで図に示す外部カバー３は、筒状ではあるが非円形の断面を有するケース、という形をしている。カバー３は、正面部３１、背面部３２、そしてフラップ３３を有する。図４で分かるように、フラップ３３は折り曲げられて背面部３２の上またはその下にくる。フラップ３３と背面部３２とは、接着剤や熱シール処理などによって一体に固定される。これにより、外部カバーは、カーブした形、または膨らんだ形の正面部３１と実質的に平らな背面部３２、３３とを有した、一種のケースを形成する。ケースの形をとるこうした形状は、いうまでもなく、補強構造体２上の所定位置に置かれる際の、外部カバー３の最終的な状態に対応している。その初期状態、すなわち、補強構造体２に装着される前の状態における外部カバー３は、図１および図２に示す形状、すなわち、正面部分３１が中央に位置し、部分３２および部分３３が正面部分３１の各側面に配置された状態の、平らな形状になっている。カバー３の正面部分３１は、膨らんだ形、あるいはカーブした形（こちらがより一般的である）とするが、それは、当該部分３１が、駆動壁１３を備えたドーム１２の形成されたディスペンサ１のシェル１０を覆う形になるからである。正面部分３１の側面エッジに形成された折り目３１２、３１３は、平らなマージン１１によって形成されたディスペンサ１の側面エッジの位置にくるように設計されている。このようにして、背面部分３２およびフラップ３３は、ほぼ保護膜１９に接触した状態となり、一方、膨らんだ正面部分３１はシェル１０を覆うことになる。外部カバー３にも切取り線（または断裂線）３４が設けられており、それは、カバーの３つの構成部分を横切る形に延びている。こうして、線３４は、３つの部分３１、３２、３３で形成される切り離し可能部分を規定している。つまり、切り離し可能部分は、３つの部分３１、３２、３３のセグメント３１０、３２０、３３０によって形成されている。図３に示すようなケースの形になった状態では、部分３１０、３２０、３３０はループの形となり、断裂線（または切り込み線）３４を介してケースの残り部分につながっている。本発明では、切り込み線３４は、ディスペンサ１に形成された断裂線１７に一致した位置、またはこれに重なる位置にあるが、これにより、カバーの切り取り部分を取り除けば、同時にディスペンサ１の密封部材１６も折り返されるか、取り除かれることになる。
【００１９】
このように、外部カバー３は、上側端部および下側端部が開いたケースの形をしている。正面部分３１については、複数の筒状のセグメントが一続きに形成されており、当該セグメントは、背面部分に接続された直線的な側面エッジを有すると共に、カーブした形の上側端部および下側端部を自由かつ開いた形で有している。また、本発明では、外部カバー３は直接ディスペンサ１を覆っているわけではない。ディスペンサ１は補強構造体２の中に収容され、外部カバー３は当該構造体を覆っている。補強構造体２には、流体ディスペンサ１を収容するのに適した収容手段と、外部カバー３と接触状態になるよう設計された取付面とが両方とも形成されている。補強構造体２は、部分的に閉じた正面部と実質的に開いた背面部とを有する。こうした構成なので、ディスペンサ１は、実質的に開いた背面部の側から補強構造体２に挿入することができる。それに加えて、補強構造体２は２つのエンドプレートを有する。すなわち、後方エンドプレート２３、先行エンドプレート２８である。後方および先行のエンドプレート２３、２８は、補強建造体２をその２つの端部で閉じている。また、エンドプレート２３、２８のそれぞれには突出リム２３０、２８０が形成されており、それは構造体２に形成された隣接の取付領域に対して突き出している、ということが見て取れるであろう。突出リム２３、２８を有する２つのエンドプレートの間では、構造体の正面側に一連の取付領域２１１、２１２、２１３、２６２が形成されている。取付領域は全て、膨らんだ形またはカーブした形となっていて、曲面上を延びる形となるが、その曲面が形成する筒状セグメントの断面は、外部カバー３の正面部分３１の径と同一の径を有する。このような形なので、カバー３の正面部分３１は補強構造体２の正面部に形成された取付領域の上に正確に接する、という状態を実現できる。構造体２の取付領域は、筒状セグメントの断面を切れ目なく形成しているわけではない。それどころか、これら領域は、取付領域２１１、２１２、２１３に境を接する広いスロット２１５によって隔てられている。スロット２１５には、薄い壁によって構成された可撓性膜を設置することができる。さらに、取付領域については、上側壁２４および下側壁２９それぞれに境界を接する深い溝２４９によって隔てられた形とすることもできる。壁２４、２９は素材ブリッジ２０５によって接続されているが、当該ブリッジは折り曲げたり、切断したりできるように設計されている。このようにすれば、構造体２は、一部をそれ自体の上に折り重ねたり、２つの部分に分離したりすることができ、本体２０とヘッド２５とが形成された構成となる。本体２０には、取付領域２１１、２１２、２１３、正面部２１側のスロット２１５、下側端部に位置する後方エンドプレート２３、その反対側の端部に位置する上側壁２４、そして、その背面部２２側の収容手段２２５、がそれぞれ形成されている。一方、ヘッド２５には、その正面部２６側の取付領域２６２、その上側端部に位置する先行エンドプレート２８、その反対側の端部に位置する下側壁２９、そして、その背面部２７側の収容手段２９０、２７１、がそれぞれ形成されている。構造体は、図２に見られるように、その背面側は実質的に開いた形であり、その境界は、下側端部では後方エンドプレート２３の突出リム２３０によって、側面では側面取付領域２１３の外側エッジに形成された側面エッジ２１４によって、そして、上側端部では先行エンドプレート２８の突出リム２８０によって、それぞれ規定されている。また、上側壁２４および下側壁２９の各々の内部に、それぞれノッチ２４０、２９０が形成されていることについても、触れておくべきであろう。加えて、リブ２２５、２７１も設けられているが、これらは、壁２４、２９の下側エッジと共に収容手段を形成し、当該収容手段は、ディスペンサ１を構造体２内部の所定位置に配置および保持することを可能にする。ディスペンサ１は、その駆動壁１３がスロット２１５の位置にくると共に、その突出部分１４が壁２４のノッチ２４０に接する、という形になるように配置される。それに加えて、突出部１５は壁２９のノッチ２９０に接する状態になる。平らなマージン１１は、リブ２２５およびリブ２７１と、壁２４および壁２９の下側端部エッジとに接する状態になる。構造体２内部におけるディスペンサ１の配置は、折り畳みまたは切断可能な素材ブリッジ２０５によって接続された２つの壁２４、２９の間に断裂線１７が位置する、という形になる。これにより、ディスペンサ１の取り外し可能な密封部材１６は、その全体が構造体２のヘッド２５の内部に収容されるが、その一方、ディスペンサ１の残り部分は本体２０に収容される。平らなマージン１１の側面エッジを構造体２のエッジ２１４に接触させる形とすることができるが、平らなマージン１１の上側エッジおよび下側エッジは構造体２の内側の位置にあって、後方および先行エンドプレート２３、２８に接する形となる。これは、図５を見れば非常によく分かる。こうして、ディスペンサ１は、２つのエンドプレート２３、２８の間に完全に嵌め込まれる形となる。加えて、ディスペンサ１は、その側面においても、壁２４、２９のノッチ２４０、２９０に嵌まった部分１４、１５によって、および、リブ２２５の間に配置されたドーム１２によって、留められた状態となる。これは、図３から見てとることができる。また、この図を見れば、以下のことは容易に理解できるであろう。すなわち、駆動壁１３はスロット２１５を通して押下できること、および、素材ブリッジ２０５を曲げたり裂いたりする形でヘッド２５を切り取りまたは折り返せば、密封部材１６を折り曲げたり取り除いたりできること、である。密封部材１６は、その突出部１５が溝２９０に挿入された状態でリブ２７１に接しているため、ヘッド２５に伴出することになる。
【００２０】
ディスペンサ１を補強構造体２の中にこのように挿入してしまえば、後は、外部カバー３によってそれを覆い、カバーを閉じるだけでよい。初期状態では平らな正面部分３１は、補強構造体２の正面の取付領域２１１、２１２、２１３、２６２の形状に合わせて、筒状セグメントの形状を取ることになる。このことは、スロット２１５も同様である。スロットの境界は全体が取付領域によって規定されているからである。カバー３の正面部分３１は、均一な様態でこの筒形状を取り、どの位置でそれが構造体２の取付領域と接触しているかは見分けられない。しかし、構造体２の取付領域が、膨らんだ正面部分１の周縁全体にわたって延びているため、構造体２に全体が支えられた正面部分３１のマージンが変形することはありえない。膨らんだ正面部分３１を押し込んでディスペンサ１の壁１３を駆動させることができるのは、スロット１５の位置だけである。正面部分が構造体２の取付領域の上でこのように成形されれば、背面部分３２およびフラップ３３を、ディスペンサ１の保護シート１９と接触する状態になるまで折り曲げるだけでよい。その後は、例えば接着剤や熱シール処理を用いて、背面部分３２とフラップ３３とを一体に固定するだけである。また、ディスペンサ１は、それが外部カバー３で覆われるまでは、構造体２の中に固定されない、という点にも触れておくべきであろう。構造体２の内部でディスペンサ１を固定する必要がないのは、最終的に外部カバー３を所定位置に置くことによって固定され、その結果、ディスペンサ１が構造体２の中に恒久的にブロックされるからである。それに加えて、図５に見られるように、外部カバー３の上側端部および下側端部が後方エンドプレー２３および先行エンドプレート２８に形成された突出リム２３０、２８０に受け止められる状態になるため、カバー３が構造体２の上でスライドすることはない。このように、カバー３は構造体２における所定位置で完全にブロックされる。エンドプレート２３、２８は、カバーをブロックする機能を有するのに加えて、ディスペンサ組立物の下側部分および上側部分を見た目の良い様態で閉じることを可能にする。同じことは、上側壁２４および下側壁２９にも用いられる。これらの壁は、本体２０およびヘッド２５を閉じることができ、特にヘッド２５が折り返されるか、本体２０から取り除かれた際に、それによってディスペンサ１のディスペンサ開口部１３４を開く。言い換えると、エンドプレート２３および２８と壁２４および２９とによって、ディスペンサ１によって形成されたディスペンサ組立物の内部要素を隠すことができる。したがって、ディスペンサの外観は、特許文書：ＦＲ ２ ７９６ ３６８号公報におけるディスペンサと比べて大きく改善される。使用前の初期状態において、ディスペンサ組立物は図６に示す形を取る。ユーザの目に見えるのは、外部カバー３と、後方および先行エンドプレート２３、２８のみである。つまり、ディスペンサ１は完全に覆い隠されるか、目に見えない。溝２４９（ディスペンサ１の断裂線１７がその底面部に沿って延びている）に重なる刻み目線３４に沿ってヘッド２５および密封部材１６が折り返されるか取り外されて、ディスペンサ開口部が開いた時点でさえ、上側壁２４および下側壁２９はまだディスペンサ１を覆い隠した状態を保っており、ディスペンサはディスペンサ開口部１３４の位置でしか見えない。
【００２１】
補強構造体２を用いることで、ディスペンサ組立物の外観は大きく改善され、保持することもより簡単になり、そして、よりきれいかつ簡単に開けることができる。また、構造体２の構造を、本体とヘッドとが深い溝２４９によって隔てられている、という形にすることで、断裂線または折り目線を非常に見えやすい形で置くことができ、それによって、ディスペンサ組立物を開ける操作がはるかに容易になる。
【図面の簡単な説明】
【００２２】
【図１】本発明のディスペンサ組立物を上方向から見た分解斜視図である。
【図２】図１のディスペンサ組立物を示す別の分解斜視図であり、下方向から見た図である。
【図３】図１および図２のディスペンサ組立物を上方から見た斜視図であり、外部カバーを外した状態で示す図である。
【図４】外部カバーを最終的な状態において示す斜視図であり、図３に示すディスペンサにかぶせた形で示す図である。
【図５】上の一連の図が示すディスペンサ組立物の、長手方向の縦断面図であり、最終的な状態で示す図である。
【図６】図５のディスペンサ組立物を上方から見た斜視図である。
【図１】
2005537994.tif 000003
【図２】
2005537994.tif 000004
【図３】
2005537994.tif 000005
【図４】
2005537994.tif 000006
【図５】
2005537994.tif 000007
【図６】
2005537994.tif 000008
【国際調査報告】
2005537994.tif 000009
2005537994.tif 000010
2005537994.tif 000011
2005537994.tif 000012